(57)【要約】【課題】非接触ＩＣメディア及びマルチアンテナシートを用いて、カタログ請求者の情報を制御用コンピュータに配信データとして記憶し、自動的にカタログを通信ネットワークを利用して配信したり、印刷・郵送する。【解決手段】非接触ＩＣメディアを展示会・イベント・店舗内等でのＩＤ（例えばＩＤカード）として使用し、カタログ請求者が請求時にメールアドレスや住所等を記憶した非接触ＩＣメディアを、会場内に設置されたカタログ・ラック３のアンテナ部３３に近づけることで、制御用コンピュータ７は非接触ＩＣメディアに記憶されたメールアドレスや住所などの情報を読み取り、読み取られた情報をデータベース７４に記憶し、さらにその情報に基づいて、データベース７４に記憶されているカタログデータを通信ネットワーク接続部７１を通じて自動的にインターネットを介して配信したり、印刷部７３からカタログを印刷し郵送する。【選択図】図１
2007293908.tif 000002
【特許請求の範囲】
【請求項１】
商品購入者に関する購入者情報が記憶された非接触ＩＣメディアから購入者情報を受信するためのアンテナ部が各商品に対応して複数配置された、非接触ＩＣメディア用マルチアンテナシートを有する商品ラックと、
非接触ＩＣメディアが、マルチアンテナシートのいずれかのアンテナ部に近づけられた際、非接触ＩＣメディアが近づけられたアンテナ部を判別し、該アンテナ部を介して非接触ＩＣメディアに記憶された購入者情報を読み取り、該アンテナ部に対応するアンテナ番号及び購入者情報を出力するアンテナ制御部と、
購入者識別子毎に、購入者情報及び非接触ＩＣメディアが近づけられたアンテナ番号に対応する購入商品番号情報を記憶した配信データが記憶されるデータベースと、
商品の配送に関する情報を出力する出力部と、
前記アンテナ制御部から購入者識別子を含む購入者情報及びアンテナ番号を入力し、購入者識別子に対応した購入者情報及び購入商品番号情報を含む配信データを前記データベースに記憶し、前記データベースを参照して配信データに基づき購入者識別子に対する購入商品番号情報を読み出し、商品の配送に関する情報を前記出力部より出力し、商品が配送済みと認識できる情報をデータベースの配信データに記憶する又は該当する配信データを削除するようにした制御用コンピュータと、
を備えた商品用の配信データ管理装置。
【請求項２】
前記出力部は、購入商品番号情報及び／又は購入者宛先シートを印刷する印刷部を備え、
前記データベースに記憶される配信データは、配送指示日及び配送種別を含み、
前記制御用コンピュータは、前記データベースに記憶された配信データを参照し、任意の購入者識別子に対応する配信データに対して、制御用コンピュータのシステム日付が配信データの配送指示日と同じであり、配送種別が商品の配送を示すと判断した場合、該当する配信データの購入者情報及び購入商品番号情報に基づき、購入商品番号情報及び／又は請求者宛先シートを前記印刷部より印刷するようにした請求項１に記載の配信データ管理装置。
【請求項３】
商品購入者に関する購入者情報が記憶された非接触ＩＣメディアが、購入者情報を受信するためのアンテナ部が各商品に対応して複数配置されたマルチアンテナシートを有する商品ラックのいずれかのアンテナ部に近づけられた際、
制御用コンピュータは、非接触ＩＣメディアが近づけられたアンテナ部に対応するアンテナ番号とアンテナ部を介して非接触ＩＣメディアに記憶された購入者情報とを入力するステップと、
制御用コンピュータは、入力された購入者識別子に対応した購入者情報及びアンテナ番号に対応する購入商品番号情報を含む配信データをデータベースに記憶するステップと、
制御用コンピュータは、データベースを参照して配信データに基づき購入者識別子に対する購入商品番号情報と購入者の宛先に関する情報とを読み出すステップと、
制御用コンピュータは、読み出した購入商品番号情報及び／又は購入者の宛先に関する情報を出力部より出力するステップと、
制御用コンピュータは、商品が配送済みと認識できる情報をデータベースの配信データに記憶する又は該当する配信データを削除するステップと
を含む配信データ管理方法。
【請求項４】
制御用コンピュータは、データベースに記憶された配信データ及び各商品の価格についての商品価格データを用いて、購入された商品の会計金額を計算し、出力部より会計金額を表示又はキャッシュカード等を利用して精算するようにした請求項３に記載の配信データ管理方法。
【請求項５】
制御用コンピュータは、アンテナ制御部から入力した購入者情報に対して、データベースの配信データに同じ購入者識別子のレコードが存在するかを判断するステップと、
制御用コンピュータは、同じ購入者識別子のレコードが存在した場合、新規にレコードを作成せずにデータベースに存在するレコードに情報を追加するステップと、
を含み、同じ購入者に関する情報をデータベースに重複して記憶させないようにした請求項３又は４に記載の配信データ管理方法。
【請求項６】
制御用コンピュータは、データベースに記憶されている配信データを参照し、商品の売り上げ数、商品の在庫数、配送数量、配送日付のいずれか又は複数を集計し配送管理するようにした請求項３乃至５のいずれかに記載の配信データ管理方法。
【発明の詳細な説明】
【技術分野】
【０００１】
本発明は、非接触ＩＣメディア用マルチアンテナシートを利用した、配信データ管理装置及び配信データ管理方法に係り、特に、非接触ＩＣメディアに記憶されたカタログ請求者の住所・氏名・メールアドレス等の情報を受信するマルチアンテナシートを備えたカタログ・ラックと、マルチアンテナシートから受信したカタログ請求者の情報を用いてカタログを配信する配信データ管理装置及び配信データ管理方法に関する。
【背景技術】
【０００２】
展示会やイベント及び店舗等で用いられているカタログ・ラックは、印刷されたカタログを提供し、一方、利用者はカタログ・ラックから必要なカタログを自由に持ち帰ることができる。
また、従来ＣＰＵとメモリーとを内部に備えた非接触ＩＣメディア（コンタクトレスＩＣメディア）を用い、非接触ＩＣメディアとリーダ／ライタユニットとの間で、非接触により情報の送受信を行い、非接触ＩＣメディアのメモリーに情報を書き込み又はメモリーから情報を読み取り、各種処理を可能とする技術が開発されている。
【０００３】
さらに、複数のアンテナを配置したマルチアンテナシートを使用して多数の非接触ＩＣメディアから情報を書き込み又は読み取りし、各種処理を可能とする技術が開発されている。また、従来の非接触ＩＣメディアは、明確な用途としては、小規模な情報（例えば数１０文字程度）を記憶し、あるいは名刺程度の情報を記憶し得るものである。
【０００４】
非接触ＩＣメディア及びリーダ／ライタユニットに関する参考文献として、以下の物が挙げられる。特願２００１−８４６９９、特願２００１−８４７４６、特願２００１−２０５２９６、特願２００２−３３７９６、特願２００２−５６０３９。
【発明の開示】
【発明が解決しようとする課題】
【０００５】
従来のカタログ・ラックは、印刷されたカタログを提供するためカタログを事前に印刷しておく必要があった。また、カタログが不足するのを防ぐために余分に印刷する場合が多く、そのためカタログが余ることがあった。さらに、十分な量のカタログを保管及び提供するだけの大きさとスペースが必要であった。また、従来、商品購入用及び診療受付用のデータ配信のためのラックは開発されていない。
【０００６】
そこで、本発明は、以上の点に鑑み、非接触ＩＣメディア及びマルチアンテナを用いて、カタログ請求者の情報を制御用コンピュータに配信データとして記憶し、自動的にカタログをインターネットで配信したり、印刷・郵送することを目的とする。また、本発明は、インターネットで配信することにより、カタログを印刷する必要がなく、さらに郵送希望で請求された分のみを印刷できるようにすることによって、カタログを余分に印刷する必要がなくなり、資源の節約及び経費の削減をすることも目的の一つとする。さらに、本発明は、カタログの保管場所及びカタログ・ラックの大きさ、設置場所を省スペースにすることを目的とする。本発明は、展示会やイベント等においてカタログ請求者が自らカタログを持ち歩く必要がなく手軽に来場してもらうことも目的の一つである。また、本発明は、データベースに請求者の情報を記憶することで、制御用コンピュータは請求者がどのカタログに関心があったか等の情報収集が容易にできることを目的とする。さらに、本発明は、このような技術を商品購入用及び診療受付用に応用することを目的とする。
【課題を解決するための手段】
【０００７】
本発明の第１の解決手段によると、
カタログ請求者に関する請求者情報が記憶された非接触ＩＣメディアから請求者情報を受信するためのアンテナ部が、各カタログに対応して複数配置された非接触ＩＣメディア用マルチアンテナシートを有するカタログ・ラックと、
非接触ＩＣメディアが、マルチアンテナシートのいずれかのアンテナ部に近づけられた際、非接触ＩＣメディアが近づけられたアンテナ部を判別し、該アンテナ部を介して非接触ＩＣメディアに記憶された請求者情報を読み取り、該アンテナ部に対応するアンテナ番号及び請求者情報を出力するアンテナ制御部と、
請求者識別子毎に、請求者情報及び非接触ＩＣメディアが近づけられたアンテナ番号に対応する請求カタログ番号情報を記憶した配信データと、アンテナ番号又はカタログ番号毎にカタログの内容を記憶したカタログデータとが記憶されるデータベースと、
カタログ請求者に対してカタログデータを配信するための出力部と、
前記アンテナ制御部から請求者識別子を含む請求者情報及びアンテナ番号を入力し、請求者識別子に対応した請求者情報及び請求カタログ番号情報を含む配信データを前記データベースに記憶し、前記データベースを参照して配信データに基づいて請求者識別子に対する請求カタログ番号情報を読み出し、その請求カタログ番号情報に従いカタログデータを選択し、前記出力部により該当するカタログの配信に関する情報を出力する制御用コンピュータと、
を備えたカタログ用の配信データ管理装置が提供される。
【０００８】
本発明の第２の解決手段によると、
商品購入者に関する購入者情報が記憶された非接触ＩＣメディアから購入者情報を受信するためのアンテナ部が各商品に対応して複数配置された、非接触ＩＣメディア用マルチアンテナシートを有する商品ラックと、
非接触ＩＣメディアが、マルチアンテナシートのいずれかのアンテナ部に近づけられた際、非接触ＩＣメディアが近づけられたアンテナ部を判別し、該アンテナ部を介して非接触ＩＣメディアに記憶された購入者情報を読み取り、該アンテナ部に対応するアンテナ番号及び購入者情報を出力するアンテナ制御部と、
購入者識別子毎に、購入者情報及び非接触ＩＣメディアが近づけられたアンテナ番号に対応する購入商品番号情報を記憶した配信データが記憶されるデータベースと、
商品の配送に関する情報を出力する出力部と、
前記アンテナ制御部から購入者識別子を含む購入者情報及びアンテナ番号を入力し、購入者識別子に対応した購入者情報及び購入商品番号情報を含む配信データを前記データベースに記憶し、前記データベースを参照して配信データに基づき購入者識別子に対する購入商品番号情報を読み出し、商品の配送に関する情報を前記出力部より出力し、商品が配送済みと認識できる情報をデータベースの配信データに記憶する又は該当する配信データを削除するようにした制御用コンピュータと、
を備えた商品用の配信データ管理装置が提供される。
【０００９】
本発明の第３の解決手段によると、
病院における診察に関する受診者情報が記憶された非接触ＩＣメディアから受診者情報を受信するためのアンテナ部が各受診医療に対応して複数配置された、非接触ＩＣメディア用マルチアンテナシートを有する診察受付ラックと、
非接触ＩＣメディアが、マルチアンテナシートのいずれかのアンテナ部に近づけられた際、非接触ＩＣメディアが近づけられたアンテナ部を判別し、該アンテナ部を介して非接触ＩＣメディアに記憶された受診者情報を読み取り、該アンテナ部に対応するアンテナ番号及び受診者情報を出力するアンテナ制御部と、
受診者識別子毎に、受診者情報及び非接触ＩＣメディアが近づけられたアンテナ番号に対応する受診医療番号情報を記憶した配信データと、受診者識別子毎にカルテの内容を含むカルテデータとが記憶されるデータベースと、
受診におけるカルテ情報を出力する出力部と、
前記アンテナ制御部から受診者識別子を含む受診者情報及びアンテナ番号を入力し、受診者識別子に対応した受診者情報及び受診医療番号情報を含む配信データを前記データベースに記憶し、前記データベースを参照して配信データに基づき受診者識別子に対する受診医療番号情報を読み出し、その受診者識別子に従い、カルテデータを選択し、前記出力部により受診医療番号の医者用端末へ向けて選択されたカルテデータを出力するための制御用コンピュータと、
を備えた診察受付用の配信データ管理装置が提供される。
【００１０】
本発明の第４の解決手段によると、
カタログ請求者に関する請求者情報が記憶された非接触ＩＣメディアが、請求者情報を受信するためのアンテナ部が各カタログに対応して複数配置されたマルチアンテナシートを有するカタログ・ラックのいずれかのアンテナ部に近づけられた際、
制御用コンピュータは、非接触ＩＣメディアが近づけられたアンテナ部に対応するアンテナ番号とアンテナ部を介して非接触ＩＣメディアに記憶された請求者情報とを入力するステップと、
制御用コンピュータは、入力された請求者識別子に対応した請求者情報及び請求カタログ番号情報を含む配信データをデータベースに記憶するステップと、
制御用コンピュータは、データベースに記憶された配信データに基づき請求者識別子に対する請求カタログ番号情報を読み出すステップと、
制御用コンピュータは、アンテナ番号又は請求カタログ番号情報に従ってデータベースに記憶されているカタログの内容を示すカタログデータを選択するステップと、
制御用コンピュータは、出力部により選択されたカタログに関する情報を出力するステップと、
を含む配信データ管理方法が提供される。
【００１１】
本発明の第５の解決手段によると、
商品購入者に関する購入者情報が記憶された非接触ＩＣメディアが、購入者情報を受信するためのアンテナ部が各商品に対応して複数配置されたマルチアンテナシートを有する商品ラックのいずれかのアンテナ部に近づけられた際、
制御用コンピュータは、非接触ＩＣメディアが近づけられたアンテナ部に対応するアンテナ番号とアンテナ部を介して非接触ＩＣメディアに記憶された購入者情報とを入力するステップと、
制御用コンピュータは、入力された購入者識別子に対応した購入者情報及び購入商品番号情報を含む配信データをデータベースに記憶するステップと、
制御用コンピュータは、データベースを参照して配信データに基づき購入者識別子に対する購入商品番号情報と購入者の宛先に関する情報とを読み出すステップと、
制御用コンピュータは、読み出した購入商品番号情報及び／又は購入者の宛先に関する情報を出力部より出力するステップと、
制御用コンピュータは、商品が配送済みと認識できる情報をデータベースの配信データに記憶する又は該当する配信データを削除するステップと
を含む配信データ管理方法が提供される。
【００１２】
本発明の第６の解決手段によると、
病院における診察に関する受診者情報が記憶された非接触ＩＣメディアが、受診者情報を受信するためのアンテナ部が各商品に対応して複数配置されたマルチアンテナシートを有する診察受付ラックのいずれかのアンテナ部に近づけられた際、
制御用コンピュータは、非接触ＩＣメディアが近づけられたアンテナ部に対応するアンテナ番号とアンテナ部を介して非接触ＩＣメディアに記憶された受診者情報とを入力するステップと、
制御用コンピュータは、入力された受診者識別子に対応した受診者情報及びアンテナ番号に対応する受診医療番号情報を含む配信データをデータベースに記憶するステップと、
制御用コンピュータは、データベースを参照して配信データに基づき受診者識別子に対する受診医療情報と受診者の受診カルテに関する情報とを読み出すステップと、
制御用コンピュータは、アンテナ番号又は受診医療番号情報に従って、データベースに記憶されているカルテデータを選択するステップと、
制御用コンピュータは、通信ネットワーク接続部又は印刷部により選択されたカルテデータを出力するステップと、
を含む配信データ管理方法が提供される。
本発明の第７の解決手段によると、
カタログ請求者又は商品購入者又は医療受診者に関する請求者又は購入者又は受診者情報が記憶された非接触ＩＣメディアから請求者又は購入者又は受診者情報を受信するためのアンテナ部が、各カタログに対応して複数配置された非接触ＩＣメディア用マルチアンテナシートを有するカタログ・ラックであって、
前記カタログ・ラックは、制御用コンピュータに、非接触ＩＣメディアが近づけられた前記アンテナ部に対応するアンテナ番号と該アンテナ部を介して非接触ＩＣメディアに記憶された請求者又は購入者又は受診者情報とを出力し、
制御用コンピュータに、請求者又は購入者又は受診者識別子に対応した請求者又は購入者又は受診者情報及び請求カタログ又は購入商品又は受診医療番号情報を含む配信データをデータベースに記憶させるようにしたデータ配信用ラックが提供される。
【発明の効果】
【００１３】
本発明によると、非接触ＩＣメディア及びマルチアンテナを用いて、カタログ請求者の情報を制御用コンピュータに配信データとして記憶し、自動的にカタログをインターネットで配信をしたり、印刷・郵送したりすることができる。また本発明によると、インターネットで配信することにより、カタログを印刷する必要がなく、さらに郵送希望で請求された分のみを印刷することにより、カタログを余分に印刷する必要がなくなり、資源の節約及び経費の削減をすることができる。
本発明によると、次のような利点を有する。
１）カタログを余分に印刷する必要がなくなり、資源の節約及び経費の削減ができる。
２）カタログの保管スペース及びカタログ・ラックの大きさ、設置スペースを小さくすることができる。
３）請求者がカタログを自ら持って帰る必要がなく手軽に来場できる。
４）データベースに記憶されている配信データから、請求者がどのカタログに関心があったか等の情報収集が容易にできる。
５）カタログ請求者に対して、自動的にカタログを配信できる。
６）商品の場合、商品の注文から、商品の配送までの配達管理ができ、さらに、在庫管理や発注管理に応用することができる。
７）病院における医療行為の場合、受診医療の受付から、受診者のカルテ配送までの配達管理ができ、さらに、受診医療の売上管理に応用することができる。
【発明を実施するための最良の形態】
【００１４】
１、カタログ・ラック
（動作概要）
本実施の形態は、非接触ＩＣメディアを展示会等での入場者の識別をするＩＤ（例えばＩＤカード）として使用し、入場者がカタログ請求時にメールアドレスや住所等を記憶した非接触ＩＣメディアを、会場内に設置されたカタログ・ラックのアンテナ部に近づけることで、制御用コンピュータは非接触ＩＣメディアに記憶されたメールアドレスや住所などの情報を読み込み、読み込まれた情報をデータベースに記憶し、さらにその情報に基づいて、カタログをインターネットや印刷物で自動的に配信する。
【００１５】
（ハード機器）
図１は、配信データ管理装置の構成図である。この装置は、カタログ・ラック３、アンテナ制御部５、制御用コンピュータ７、通信ネットワーク接続部７１、印刷部７３、データベース７４を備える。カタログ・ラック３は、非接触ＩＣメディアからの情報を受信するアンテナ部３３を複数有するマルチアンテナシート３１を備える。データベース７４は、カタログの内容を示す情報（カタログデータ）とカタログの配信情報（配信データ）等が記憶されている。
【００１６】
図２は、カタログ・ラック表示板の構成図である。カタログ・ラック表示板１は、個別名称表示板１１、ＩＤ読み取り確認表示器１３を備えてもよい。図１のカタログ・ラック３に、図２のカタログ・ラック表示板１が覆う。
【００１７】
カタログ・ラック表示板１の外枠は、個別名称表示板１１及び内部のマルチアンテナシート３１等がずれない形状と強度が必要である。材質は非接触ＩＣメディアの読み取り時に干渉がないものであれば何でもよい。鉄が含まれている材質があると干渉が起こりやすくなる。例えば、プラスチックやゴム・紙等は干渉がおこらない材質である。個別名称表示板１１は、カタログの種類を表示するもので、例えば企業名であってもよい。また、店舗内で使用する場合、カタログは何か別の商品であってもよく、個別名称表示板１１にはその商品の写真が掲示されていてもよい。個別名称表示板１１の材質は非接触ＩＣメディアの読み取り時に干渉がないものであれば何でもよい。
【００１８】
ＩＤ読み取り確認表示器１３は、制御用コンピュータ７が、ＩＤ用の非接触ＩＣメディアからの情報をマルチアンテナシート３１のアンテナ部３３を介して読み取り、読み取られた情報を配信データとしてデータベース７４に記憶し、カタログの請求が正常に行われたことを表示するものである。本実施の形態では、一例として、請求可能なカタログに対応するＩＤ読み取り確認表示器１３は点灯させておき、制御用コンピュータ７がデータベース作成の処理を行っているときはＩＤ読み取り確認表示器１３を消灯させ、配信データをデータベース７４に記憶した後にＩＤ読み取り確認表示器１３を点灯させている。なお、ＩＤ読み取り確認表示器１３の点灯・消灯の設定条件、その他の表示手段、表示方法は適宜の方法を取ることができる。
【００１９】
カタログ・ラック３は、アンテナ部３３が配置されたマルチアンテナシート３１が設置されている。アンテナ部３３は、非接触ＩＣメディアから発信された情報を受信する部分である。マルチアンテナシート３１は、アンテナ制御部５を経由して、制御用コンピュータ７に接続されている。
【００２０】
アンテナ制御部５は、マルチアンテナシート３１にある多数のアンテナ部３３の内、どのアンテナ部３３から情報が読み込まれたかを判別し、当該アンテナ部を介して非接触ＩＣメディアに記憶されている情報を読み取り、当該のアンテナ番号を情報に付与し、制御用コンピュータ７にその情報を伝送する。
【００２１】
制御用コンピュータ７は、処理部と内部メモリーとキーボード等の入力部とディスプレイ等を有する。制御用コンピュータ７は、アンテナ部３３を介して情報を読み込み、データベース７４に情報を書き込み及び／又は読み込み、カタログの配信等の各処理を行う。さらに、制御用コンピュータ７は、通信ネットワーク接続部７１、印刷部７３、データベース７４と接続され、信号の送受信を行う。また、制御用コンピュータ７は、データベース管理のできるソフトが搭載されている機種である。さらに、インターネットの配信機能が搭載されている機種である。また、制御用コンピュータ７の内部メモリーには、後述するような配信データ用ワークファイル、データ書き込み区分などが記憶される。内部メモリーは、例えば２５６ＭＢ以上、ハードディスクは２０ＧＢ以上とすることができる。通信ネットワーク接続部７１は、カタログを通信ネットワークを使用して配信する際にインターネット等の通信ネットワークに接続する接続部である。なお、インターネット以外に、無線通信網、移動体通信網、専用線通信網、有線通信網等、適宜のネットワークとしてもよい。また、通信ネットワーク接続部７１としては、例えば市販されているターミナルアダプタを用いてもよい。インターネットの接続形式は問わない。印刷部７３は、カタログを郵送する際に、カタログ・住所・氏名等を印刷する部分である。カラー印刷ができるものでも、白黒印刷でも制御用コンピュータ７に接続できればよい。
【００２２】
（非接触ＩＣメディア）
カタログ請求者がＩＤとして使用する非接触ＩＣメディアには、例えば、予め次のような請求者情報が記憶されている。
請求者ＩＤ（請求者識別子）、
請求者名称、
請求者住所、
請求者メールアドレス、
請求者電話番号、
配送種別（インターネット配信又は郵送）、
配送指示日。
また、非接触ＩＣメディアの形状、大きさ、材質等は適宜のものを用いることができる。一例としては、携帯しやすい大きさのカードに埋め込まれる、或いは貼り付けられる等の形状としてもよい。
【００２３】
（配信データファイル）
図３は、データベース７４に記憶される配信データのフォーマットである。
図３の配信データのフォーマットは、カタログ・ラック３が２４個のアンテナ部３３を有する場合の例である。アンテナ数が異なる場合は、請求カタログ番号格納の数をアンテナ数に対応して変えればよい。請求者ＩＤ（請求者識別子）は、請求者名称に対応する識別情報で、数字、文字、記号等、適宜のものを用いることができる。配送種別は、本実施の形態の場合、郵送かインターネット配信かのどちらかであるが、他の手段であってもよい。請求カタログ番号格納１〜２４は、非接触ＩＣメディアが近づいたアンテナ番号に該当する請求カタログ番号格納欄にフラグが設定され、請求されているカタログを示すものである。なお、フラグ設定の変わりにアンテナ番号又はアンテナ番号に対応するカタログ番号を記憶する形式にしてもよい。カタログ請求者が、どのカタログを請求しているかは、請求カタログ番号格納又は記憶されたカタログ番号等のカタログ番号情報を参照することにより得ることができる。
【００２４】
（カタログデータ）
配信するカタログ内容を示すデータ（カタログデータ）は、マルチアンテナシート３１のアンテナ番号又は請求カタログ番号と対応して、デジタル情報としてデータベース７４に記憶されている。制御用コンピュータ７がインターネットによりカタログデータを配信する場合は、カタログデータをファイルのまま配信してもよい。なお、予め印刷してあるカタログがある場合、カタログデータがデータベース７４に記憶されていなくてもよい。本実施の形態におけるカタログは、パンフレット、クーポン券等を含むあらゆる配布物であり、また、商品等であってもよい。商品の場合、カタログデータを配信する代わりに商品を発送することもできる。
【００２５】
（配信データ管理方法）
図４〜６は、データ収集のフローチャート（１）〜（３）である。
まず、アンテナ制御部５は、カタログデータ又は配信可能なカタログが準備されているカタログに対応するＩＤ読み取り確認表示器１３をすべてＯＮにする。さらに、制御用コンピュータ７の処理部は、内部メモリーにデータ書き込み区分及び配信データの領域を確保する。
【００２６】
カタログ請求者が、自分のＩＤ用非接触ＩＣメディアを自分がほしいカタログに該当するマルチアンテナシート３１のアンテナ部３３にかざす（Ｓ０１）と、アンテナ制御部５は、非接触ＩＣメディアが近づけられたアンテナ部３３を判別し、制御用コンピュータ７の処理部は、非接触ＩＣメディアがかざされたアンテナ部３３に対応する個別名称表示板１１に付いているＩＤ読み取り確認表示器１３をＯＦＦにする（Ｓ０３）。ＩＤ読み取り確認表示器１３は、請求者情報の受信及び請求者情報がデータベース７４に記憶されたことを表示するものであり、他の方法を取ることもできる。なお、配送指示日は、非接触ＩＣメディアをマルチアンテナシート３１にかざす際に、アンテナ制御部５又は制御用コンピュータ７又は他の手段により入力されるようにしてもよいし、予め非接触ＩＣメディア・ライタにより書き込まれていてもよい。
【００２７】
次に、制御用コンピュータ７の処理部は、アンテナ部３３から電波を発信し、ＩＤ用非接触ＩＣメディアを起動させ、請求者情報を発信させる（Ｓ０５）。予め定められた時間内にアンテナ部３３が情報を受信できないときは、カタログの請求が正確に行われなかった場合として、制御用コンピュータ７の処理部はＩＤ読み取り確認表示器１３をＯＦＦのままとし、ステップＳ０１に戻る（Ｓ０７）。請求者は再度マルチアンテナシート３１のアンテナ部３３に非接触ＩＣメディアをかざす（Ｓ０１）。
【００２８】
アンテナ部３３が請求者情報を受信すると（Ｓ０７）、制御用コンピュータ７の処理部は、内部メモリーのデータ書き込み区分に、検索を表す識別情報「０」をセットし（Ｓ０９）、ＩＤ用非接触ＩＣメディアから読み取った請求者ＩＤをキーにデータベース７４の配信データを検索する（Ｓ１１）。なお、ステップＳ０９は省略してもよい。ここで、データ書き込み区分は、内部メモリーに予め領域を確保されたエリアであり、制御用コンピュータ７の処理部は、このエリアに対して情報を書き込み及び読み込むことでデータベースに対する各処理を実行する。データ書き込み区分には、「検索」・「新規」・「追加」に対応する適宜の識別情報を例えば０，１，２としてそれぞれつけることができる。識別情報には、数字、文字、記号等を用いてもよい。制御用コンピュータ７の処理部は、該当配信データがデータベース７４になければ（Ｓ１３）、内部メモリーのデータ書き込み区分に新規登録を表す識別情報「１」をセットし（Ｓ１５）、一方、該当配信データがデータベース７４にあれば（Ｓ１３）、データ書き込み区分に追加を表す「２」をセットする（Ｓ３１）。
【００２９】
該当配信データがデータベース７４にない場合、制御用コンピュータ７の処理部は請求者ＩＤ用非接触ＩＣメディアから読み込んだ請求者ＩＤ、請求者名称、請求者住所、請求者メールアドレス、請求者電話番号、配送種別、配送指示日を内部メモリーの予め適宜定められた配信データ用ワークエリアにコピーをし（Ｓ１７〜Ｓ２９）、ステップＳ３３の処理に移る。ここで、配信データ用ワークエリアのフォーマットは図３に示したものと同様で、１レコード分のものである。一方、該当配信データがデータベース７４にある場合、制御用コンピュータ７の処理部は内部メモリーの配信データ用ワークエリアに該当配信データを読み出し、ステップＳ３３の処理に移る。なお、制御用コンピュータ７の処理部はデータベース７４から内部メモリーのワークエリアに配信データを読み出さずに、直接データベースにアクセスしてもよい。次に、制御用コンピュータ７の処理部は、内部メモリーの配信データ用ワークエリア内にある配信データのレコードに対して、請求者がＩＤ用非接触ＩＣメディアをかざした、マルチアンテナシート３１のアンテナ番号に対応する請求カタログ番号格納欄にフラグを設定する（Ｓ３３）。
【００３０】
次に、制御用コンピュータ７の処理部はデータ書き込み区分が「１」の場合（Ｓ３５）、配信データを内部メモリーの配信データ用ワークエリアからデータベース７４に新規に書き込み（Ｓ３７）、データが作成できれば、ＩＤ読み取り確認表示器１３を「ＯＮ」にし（Ｓ３９）、カタログの請求が正常になされたことを請求者に表示する。また、制御用コンピュータ７の処理部は、データ書き込み区分が「２」の場合（Ｓ３５）、配信データを内部メモリーの配信データ用ワークエリアから上書きにデータベース７４に書き込み（Ｓ４１）、データが作成できれば、ＩＤ読み取り確認表示器１３を「ＯＮ」にし（Ｓ４３）、カタログの請求が正常になされたことを請求者に表示する。なお、データベースへの書き込みは、適宜のタイミングで行ってもよい。以上の処理を繰り返し行う。
【００３１】
（カタログ配信方法）
図７は、カタログ配信のフローチャートである。以下の処理は、制御用コンピュータ７の処理部が自動的に処理を実行する。
【００３２】
制御用コンピュータ７の処理部は、データベース７４から図３に示すような配信データを１レコードずつ順番に読み出す（Ｓ４５）。読み出すデータがなければカタログ配信の処理を終了する（Ｓ４７）。読み込んだ配信データの配送指示日と制御用コンピュータ７のシステム日付が異なるならば（Ｓ４９）、次の配信データを読み出す。配信データの配送指示日と制御用コンピュータ７のシステム日付が同じならば（Ｓ４９）、フラグのたっている請求カタログ番号格納１〜２４に該当するカタログデータをデータベース７４から抽出する（Ｓ５１）。次に、配信データの配送種別が「郵送」ならば（Ｓ５３）、抽出されたカタログデータ及び住所・名称等を記載した請求者宛先シートを印刷部７３より印刷する（Ｓ５５）。カタログ配信者は、印刷されたカタログを、ダイレクトメールとして郵送する。なお、カタログが既に印刷されている場合等は、住所と名称が書かれた宛先シートのみを印刷するようにしてもよい。また、配送種別が「インターネット配信」ならば（Ｓ５３）、配信データのメールアドレスをあて先として、抽出されたカタログデータを通信ネットワーク接続部７１よりインターネットメールとして送信する（Ｓ５９）。
【００３３】
次に、請求されたカタログの配信が既に終了し、カタログを二重に配信しないように配信データの配送指示日と制御用コンピュータ７の日付が同じにならないようにする。例えば、配送指示日に「９９９９９９」をセットし、配信データを上書きする（Ｓ６１）。また、該当する配信データを削除するようにしてもよい。なお、配送指示日の設定及びカタログを二重に配信しないようにする手段は、適宜の方法を取ることができる。
【００３４】
以上の処理を配信データが読み終わるまで続ける。なお、配信データをカタログ提供者に情報提供するようにしてもよい。この場合は、カタログの配信処理をカタログ提供者に任せることもできる。
【００３５】
２、商品ラック
本実施の形態は、カタログ・ラック３の代わりに、商品を指定するための商品ラックとし、カタログを何らかの商品とする場合に適用することができる。
【００３６】
図８に、商品ラック用の配信データのフォーマット（アンテナが２４個の例）を示す。配信データは、図３と同様のフォーマットで、購入者ＩＤ、購入者名称、購入者住所、購入者メールアドレス、購入者電話番号、配送種別、配送指示日等の購入者情報及び購入商品番号格納等の購入商品番号情報とすることができる。また、配送種別は持ち帰り又は配送とすることもできる。カタログデータの配信処理は商品の配送処理になり、制御用コンピュータ７の処理部は配送する商品を示す購入商品番号情報、配送先の宛先シート等を印刷する。それ以外のハード構成、配信データのフォーマット、データ収集はカタログの場合と同様のものを用いることができる。
【００３７】
配送種別が配送の場合、制御用コンピュータ７の処理部は配送指示日とシステムの日付の比較を行い、配送する日であれば、商品名、配送先の名称、住所、電話番号等が書かれた宛先シートを印刷又はディスプレイに表示し、宛先シートの印刷又は表示が完了していることを表すために配送指示日に「９９９９９９」などを記憶する又は配信データを削除する。また、商品が購入者に届き配送が完了した配送日付をさらに配信データに記憶するようにしてもよい。
【００３８】
また、配信データを使用すると、購入者ＩＤ（購入者識別子）毎にどの商品を購入したかがわかるため、制御用コンピュータ７は購入金額の会計計算などをすることもできる。その場合、それぞれの商品の価格についての商品価格データをデータベース７４に記憶させておいてもよい。制御用コンピュータ７は、計算された金額をディスプレイ等の出力部より表示又はキャッシュカード等を利用して精算することもできる。
【００３９】
カタログが何らかの商品の場合、カタログ・ラック表示板１の個別名称表示板１１は、商品の写真や説明が記載されていてもよい。配信データの配送種別が持ち帰りの場合、購入時に商品の受け渡しが完了しているので、配送指示日には、予め「９９９９９９」などを記憶しておく。
本実施の形態によると、非接触ＩＣメディアをかざすことで商品の注文ができ、制御用コンピュータ７による商品の配送手続きまでの配達管理を一括して自動的に行うことができる。さらに、配信データを使用することで、商品がどれだけ販売されたかも容易にわかり、在庫管理や商品管理にも応用できる。
【００４０】
３、診療受付ラック
本実施の形態は、カタログ・ラック３の代わりに、受診医療を指定するための診察受付ラックとし、カタログを何らかの医療行為とする場合に適用することができる。データベース７４は、カルテ内容を示す情報（カルテデータ）と、カルテの配信情報（配信データ）等が記憶される。
【００４１】
図９に、診療受付ラック用の配信データのフォーマット（アンテナが２４個の例）を示す。配信データは、図３と同様のフォーマットで、受診者ＩＤ、受診者名称、受診者住所、受診者メールアドレス、受診者電話番号、緊急連絡先、配送種別、受診日（受診予約日、配送指示日）等の受診者情報及び受診医療番号格納等の受診医療番号情報とすることができる。また、配送種別は受診者カルテデータのパソコン等によるオンライン送信又は紙への印刷後配送とすることもできる。
【００４２】
（カルテデータ）
配信するカルテ内容を示すデータ（カルテデータ）は、受診者識別子及び内科・外科等の医局・課、担当医師等を示す受診医療番号と対応して、デジタル情報としてデータベース７４に記憶されている。制御用コンピュータ７がインターネットによりカルテデータを配信する場合は、カルテデータをファイルのまま配信してもよい。なお、予め印刷してあるカルテがある場合、カルテデータがデータベース７４に記憶されていなくてもよい。本実施の形態におけるカルテは、受診者識別番号に対応して、医療の支払い額、保険証情報、及び、他の受診者情報（家族構成、緊急連絡先等）を含んでもよい。
【００４３】
カタログデータの配信処理は受診者のカルテの配送処理になり、制御用コンピュータ７の処理部は配送するカルテを示す受診医療番号情報、担当医宛情報等を印刷する。それ以外のハード構成、配信データのフォーマット、データ収集はカタログの場合と同様のものを用いることができる。
【００４４】
制御用コンピュータ７は、アンテナ制御部５から受診者識別子を含む受診者情報及びアンテナ番号を入力し、受診者識別子に対応した受診者情報及び受診医療番号情報を含む配信データをデータベース７４に記憶し、データベース７４を参照して配信データに基づき受診者識別子に対する受診医療番号情報を読み出し、その受診者識別子に従い、カルテデータを選択し、通信ネットワーク接続部又は印刷部により受診医療番号の医者用端末へ向けて選択されたカルテデータを出力する。制御用コンピュータ７は、通信ネットワーク接続部による配送の際には、、例えば、受診医療番号に対応した電子メールアドレスをカルテデータ内に予め記憶しておき、そのアドレスを読み込んで自動的にカルテデータを配信することができる。
【００４５】
配送種別が配送の場合、制御用コンピュータ７の処理部は受診日（受診予約日、配送指示日）とシステムの日付の比較を行い、配送する日であれば、受診医療、担当医等が書かれた受診者に関するカルテを印刷又はディスプレイに表示し、カルテの印刷又は表示が完了していることを表すために配送指示日に「９９９９９９」などを記憶する又は配信データを削除する。また、カルテが担当医に届き配送が完了した配送日付をさらに配信データに記憶するようにしてもよい。
【００４６】
また、配信データを使用すると、受診者ＩＤ（受診者識別子）毎にどの医療行為を受診したかがわかるため、制御用コンピュータ７は医療価格の会計計算などをすることもできる。その場合、医療行為を示す識別番号に対応してそれぞれの医療行為の価格についての医療価格データをデータベース７４に記憶させておいてもよい。また、配信データ又はカルテデータに医療行為識別情報を含み、制御用コンピュータは、ひとつ又は複数の医療行為識別子により医療価格データを検索し、合計金額を計算するようにしてもよい。さらに、制御用コンピュータ７は、計算された金額をディスプレイ等の出力部より表示又はキャッシュカード等を利用して精算することもできる。
【００４７】
カタログが何らかの医療行為の場合、カタログ・ラック表示板１の個別名称表示板１１は、医療の説明が記載されていてもよい。配信データの配送種別が印刷（持ち帰り）の場合、受付後に受診者のカルテ印刷、及び担当医への配送が完了できるので、受診日（配送指示日）には、予め「９９９９９９」などを記憶しておく。
【００４８】
本実施の形態によると、非接触ＩＣメディアをかざすことで医療行為の受付ができ、制御用コンピュータ７による受診者のカルテを対糖衣宛に配送手続きまでの配達管理を一括して自動的に行うことができる。さらに、配信データを使用することで、医療行為がどれだけなされたかも容易にわかり、病院の売上管理にも応用できる。
【００４９】
４、配信データの情報処理例
データベース７４に記憶された配信データを用いることにより、どのようなカタログに興味があったか等の各種情報収集が容易にできる。例えば、次のような処理をしてもよい。なお、各処理に必要なパラメータは、内部メモリーに領域が確保されており、初期値の設定が予めされている。
【００５０】
（１）カタログ請求者数を集計。
制御用コンピュータ７の処理部は、データベース７４の配信データを１レコードずつ読み出し、１レコードにつき請求者数パラメータをインクリメントし、カタログ請求者数を求める。
【００５１】
（２）カタログ毎の請求者数を集計。
制御用コンピュータ７の処理部は、データベース７４の配信データを１レコードずつ読み出し、請求カタログ番号格納欄にフラグがセットされているカタログ番号に対応するカタログ番号パラメータをインクリメントし、カタログ毎の請求者数を求める。
【００５２】
（３）カタログの分野毎に請求者数を集計。
各カタログを予め分野別に分類しておく。カタログ番号と分野が対応するようなカタログ分野データをデータベース７４に記憶させておいてもよい。制御用コンピュータ７の処理部は、データベース７４の配信データを１レコードずつ読み出し、請求カタログ番号格納欄にフラグがセットされているカタログ番号が、どの分野に属するかをカタログ分野データを用いて判断し、その分野に対応するカタログ分野パラメータをインクリメントし、カタログの分野別の請求者数を求める。
【００５３】
（４）カタログの企業別に請求者数を集計。
各カタログを予め企業別に分類しておく。カタログ番号と企業が対応するようなカタログ企業データをデータベース７４に記憶させておいてもよい。制御用コンピュータ７の処理部は、データベース７４の配信データを１レコードずつ読み出し、請求カタログ番号格納欄にフラグがセットされているカタログ番号が、どの企業に属するかをカタログ企業データを用いて判断し、その企業に対応するカタログ企業パラメータをインクリメントし、カタログの企業別の請求者数を求める。
【００５４】
（５）商品（受診医療）の売り上げ数を集計。
制御用コンピュータ７の処理部は、データベース７４の配信データを１レコードずつ読み出し、請求カタログ番号格納欄（商品番号格納欄・受診医療番号格納欄）にフラグがセットされているカタログ番号（商品番号・受診医療番号）に対応する商品番号（受診医療番号）パラメータをインクリメントし、各商品（受診医療）の売り上げ数を求める。
【００５５】
（６）在庫管理。
制御用コンピュータ７の処理部は、データベース７４の配信データを参照して商品の売り上げ数を求め、商品名又は商品識別子と在庫数を対応させてデータベース７４に記憶した在庫データから該当する商品の現在の在庫数を読み出し、現在の在庫数と売り上げ数から新規の在庫数を計算し、データベース７４の在庫データに上書きに記憶する。データベース７４の在庫データには最新の在庫数が自動更新されていく。また、この在庫データを、発注管理に利用することもできる。例えば、制御用コンピュータ７の処理部は、在庫数が予め定められた数を下回った商品がある場合、商品名又は商品識別子、発注数、発注先、発注先ＦＡＸ番号、発注先ｅ−ｍａｉｌアドレス等を記憶した商品発注データを参照して、該当する商品の発注数及び発注先の情報を読み出し、商品名、発注数を発注先ＦＡＸ番号にＦＡＸ送信又は発注先ｅ−ｍａｉｌアドレスを宛先としてｅ−ｍａｉｌ送信する。
【００５６】
（７）配送管理。
制御用コンピュータ７の処理部は、データベース７４の配信データを参照して、売り上げ数、在庫数、商品の配送数量等を計算し、さらに、配送日付、配送担当者名等を配信データに付加し、商品の配送状態がわかる配送管理を行うこともできる。
【００５７】
（システムの拡張）
以上、図１のように１枚のマルチアンテナシート３１を備えたカタログ・ラック３、配信データ管理装置及び配信データ管理方法について説明したが、マルチアンテナシート３１は複数備えられていてもよい。マルチアンテナシート３１の数の変化及びカタログ数の変化以外は、ハード構成、配信データ、フローチャートは同様のものを用いることができる。
【００５８】
また、配信データ管理サーバを新たに備え、ネットワークを介して接続された１つ又は複数の制御用コンピュータ７から配信データを受け取り、配信データのデータベースを構築し、情報を集中管理できるようにしてもよい。
【００５９】
（付記）
本発明の配信データ管理方法又は配信データ管理装置は、その各手順をコンピュータに実行させるための配信データ管理プログラム、配信データ管理プログラムを記録したコンピュータ読み取り可能な記録媒体、配信データ管理プログラムを含みコンピュータの内部メモリーにロード可能なプログラム製品、そのプログラムを含むサーバ等のコンピュータ等により提供されることができる。
【産業上の利用可能性】
【００６０】
本発明は、例えば、商品の購入・商品の配送のためのデータを管理する産業に利用可能である。
【図面の簡単な説明】
【００６１】
【図１】配信データ管理装置の構成図（アンテナが２４個の例）。
【図２】カタログ・ラック表示板の構成図（アンテナが２４個の例）。
【図３】配信データのフォーマット（アンテナが２４個の例）。
【図４】データ収集のフローチャート（１）。
【図５】データ収集のフローチャート（２）。
【図６】データ収集のフローチャート（３）。
【図７】カタログ配信のフローチャート。
【図８】商品ラック用の配信データのフォーマット（アンテナが２４個の例）。
【図９】診療受付ラック用の配信データのフォーマット（アンテナが２４個の例）。
【符号の説明】
【００６２】
１．  カタログ・ラック表示板
１１．個別名称表示板
１３．ＩＤ読み取り確認表示器
３．  カタログ・ラック
３１．マルチアンテナシート
３３．アンテナ部
５．  アンテナ制御部
７．  制御用コンピュータ
７１．通信ネットワーク接続部
７３．印刷部
７４．データベース
【図１】
2007293908.tif 000003
【図２】
2007293908.tif 000004
【図３】
2007293908.tif 000005
【図４】
2007293908.tif 000006
【図５】
2007293908.tif 000007
【図６】
2007293908.tif 000008
【図７】
2007293908.tif 000009
【図８】
2007293908.tif 000010
【図９】
2007293908.tif 000011